(57)【特許請求の範囲】
【請求項１】
ブロック状の本体部と該本体部の裏面から後方に突出した突出部を有し、前記本体部の表面が下向きであり、前記突出部が上方に向いた状態で前記突出部の下方に空洞が生ずる形状のコンクリートブロックの製法であって、
前記コンクリートブロックを成形するための成形用凹所が形成され、上面が開口された型枠を用い、
該型枠の前記成形用凹所内における前記空洞の生ずる位置に、前記空洞を支える形状の形状保持具を挿入する保持具挿入工程と、
前記成形用凹所にコンクリート材料を給材する給材工程と、
前記コンクリート材料を加圧する加圧工程と、
前記型枠を上下反転させて上方に抜き取る脱型工程と、
脱型後の硬化コンクリートブロックを養生硬化させる養生工程とを実行する
ことを特徴とするコンクリートブロックの製法。
【請求項２】
前記形状保持具は、前記給材工程で用いられる中間板により固定される
ことを特徴とする請求項１記載のコンクリートブロックの製法。
【請求項３】
前記成形用凹所が、２個のコンクリートブロックを成形するものであり、
前記空洞が２個のコンクリートブロックの夫々の突出部の間にできるものである
ことを特徴とする請求項１または２記載のコンクリートブロックの製法。
【請求項４】
前記成形用凹所が、１個のコンクリートブロックを成形するものであり、
前記空洞が１個のコンクリートブロックの突出部の下方にできるものである
ことを特徴とする請求項１または２記載のコンクリートブロックの製法。
【発明の詳細な説明】
【技術分野】
【０００１】
本発明は、コンクリートブロックの製法に関する。さらに詳しくは、製造工程中に型枠内にコンクリート材料を注入してはいけない空洞があっても、空洞に起因する型崩れが生じないコンクリートブロックの製法に関する。
【背景技術】
【０００２】
護岸や擁壁などの用途に用いられるコンクリートブロックには、本体部の裏面に突出部が形成されたコンクリートブロックがある。このようなコンクリートブロックでは、本体部は適宜の厚さを有し、正面視で正四角形あるいは長四角形となっている。突出部は２ヵ所のものもあり、１ヵ所あるいは３ヵ所以上のものもある。そして、本体部の表面には模様が形成されている。この模様は例えば、自然石に見えるようなデザインであるが、これに限ることはない。本発明は、このようなコンクリートブロックの製造技術に関する。
【０００３】
上記のようなコンクリートブロックの製法には、特許文献１の従来技術がある。
特許文献１の製法は、コンクリートブロック成形用の凹所が形成され、上面が開口している型枠を用いる技術である。その型枠を上向きにして凹所にコンクリート材料を投入し、型枠に投入されたコンクリート材料の上面に模様形成用の型板を用いて型押しし、型板を除去した後で、型枠を上下反転させ、型枠の下方に受台を配置して、未硬化コンクリート品を転載し、未硬化コンクリート品を型枠から下向きに抜き取り、養生硬化させるというものである。
【０００４】
しかるに、上記製法では、型枠内にコンクリート材料を注入してはいけない空洞がある場合は、型枠を上下反転した後、コンクリート材料が空洞側に落下することがある。この場合、空洞が潰れてしまうので突出部が所望の形状が異なったコンクリートブロックとなってしまう。
【先行技術文献】
【特許文献】
【０００５】
【特許文献１】特許５２１６２０２号公報
【発明の概要】
【発明が解決しようとする課題】
【０００６】
本発明は上記事情に鑑み、型枠内に空洞があっても突出部が所望の形状に製造できるコンクリートブロックの製法を提供することを目的とする。
【課題を解決するための手段】
【０００７】
第１発明のコンクリートブロックの製法は、ブロック状の本体部と該本体部の裏面から後方に突出した突出部を有し、前記本体部の表面が下向きであり、前記突出部が上方に向いた状態で前記突出部の下方に空洞が生ずる形状のコンクリートブロックの製法であって、前記コンクリートブロックを成形するための成形用凹所が形成され、上面が開口された型枠を用い、該型枠の前記成形用凹所内における前記空洞の生ずる位置に、前記空洞を支える形状の形状保持具を挿入する保持具挿入工程と、前記成形用凹所にコンクリート材料を給材する給材工程と、前記コンクリート材料を加圧する加圧工程と、前記型枠を上下反転させて上方に抜き取る脱型工程と、脱型後の硬化コンクリートブロックを養生硬化させる養生工程とを実行することを特徴とする。
第２発明のコンクリートブロックの製法は、第１発明において、前記形状保持具は、前記給材工程で用いられる中間板により固定されることを特徴とする。
第３発明のコンクリートブロックの製法は、第１または第２発明において、前記成形用凹所が、２個のコンクリートブロックを成形するものであり、前記空洞が２個のコンクリートブロックの夫々の突出部の間にできるものであることを特徴とする。
第４発明のコンクリートブロックの製法は、第１または第２発明において、前記成形用凹所が、１個のコンクリートブロックを成形するものであり、前記空洞が１個のコンクリートブロックの突出部の下方にできるものであることを特徴とする。
【発明の効果】
【０００８】
第１発明によれば、型枠の成形用凹所内に形状保持具を挿入して空洞を支えるようにしているので、成形用凹所内にコンクリート材料を給材したいとき空洞が埋まることはなく、その後に型枠を反転させた後の養生工程でもコンクリート材料が型崩れしない。このため、本体部から後方に突出した突出部が空洞を作るような形状であったとしても、所望の形状を満足するコンクリートブロックを製造することができる。
第２発明によれば、形状保持具が中間板に固定されるので、成形用凹所内での挿入位置が不動に拘束される。このため、給材されたコンクリート材料が空洞の形状を崩さずに充満していくので突出部が所望の形状を保つコンクリートブロックが得られる。
第３発明によれば、２個のコンクリートブロックを同時成形するとき、突出部同士を突き合わせた下方に空洞ができたとしても、形状保持具でその空洞が型崩れしないように保持するので、所望の形状のコンクリートブロックが得られる。
第４発明によれば、１個のコンクリートブロックの突出部の下方に空洞があるものであっても、形状保持具でその空洞が型崩れしないように保持するので、所望の形状のコンクリートブロックが得られる。
【図面の簡単な説明】
【０００９】
【図１】コンクリートブロックと形状保持具の使用説明図である。
【図２】（Ａ）は形状保持具１０の平面図、（Ｂ）は同正面図、（Ｃ）は同側面図である。
【図３】型枠２０の説明図である。
【図４】形状保持具挿入工程の説明図である。
【図５】中間板の説明図である。
【図６】形状保持具の固定方法の説明図である。
【図７】給材工程の説明図である。
【図８】型板４０の説明図である。
【図９】加圧工程の説明図である。
【図１０】脱型板工程の説明図である。
【図１１】脱中間板工程の説明図である。
【図１２】保護板固定工程の説明図である。
【図１３】型枠反転工程の説明図である。
【図１４】脱型工程と養生工程の説明図である。
【図１５】コンクリートブロック製品の説明図である。
【発明を実施するための形態】
【００１０】
つぎに、本発明の実施形態を図面に基づき説明する。
まず、本発明が適用されるコンクリートブロック製品Ｃと形状保持具１０の説明をする。
本発明が適用されるコンクリートブロック製品Ｃとは、図１に示すように、ブロック状の本体部１と本体部１の裏面から後方に突出した突出部２を有し、上下反転した状態で（図１の状態）前記突出部１の近辺（下方を含む）に空洞が生ずる形状のものである。空洞が生ずる形状とは、１個のコンクリートブロックに生ずる空洞も、２個のコンクリートブロックを隣接させたとき生ずる空洞も、両方を含むものである。
【００１１】
図１に示す例は、２個のコンクリートブロックＣを上下反転させたとき、すなわち本体部１の表面が下向きであり、突出部２が上方に向いた状態で突出部２，２同士の端部が接近している。そして、突出部２，２の一側面２ａ，２ａは傾斜しており、突出部２，２の下端部（図１では上に位置する）同士の間には、その下方に三角形の空洞ｈが生ずる。
形状保持具１０は、この空洞ｈと、形状も寸法も同一の形と大きさを有する治具である。図２に示す形状保持具１０は、正面視で２等辺三角形をしており、平面視および側面視では等幅に形成された板材１１である。なお、左右の板の間には変形防止用の細棒１２が取付けられている。
【００１２】
つぎに、上記コンクリートブロックＣの製法で用いる型枠２０を説明する。
図３に示すように、型枠２０は四角形の箱状の外枠２１の中に金型２２を内蔵させたものである。金型２２は製造するコンクリートブロックＣの反転形状であり、本体部１用の成形用凹所１ｈと突出部２用の成形用凹所２ｈを有している。
【００１３】
型枠２０は、２個のコンクリートブロックＣを同時に成形するタイプなので、型枠２０の左右方向の中央を仕切る分離枠２３を設けている。また分離枠２３は型枠２０の奥行き方向において３分割されており、２ヵ所の切欠き２４は後述する形状保持具１０の挿入個所となっている。
【００１４】
（形状保持具挿入工程）
図４に示すように、２個の形状保持具１０を、分離枠２３の２ヵ所の切欠き２４に挿入する。挿入方向は形状保持具１０の上部を下向きにする。
図５は中間板３０を示している。中間板３０は給材するコンクリート材料ｇの余盛り分を確保するために使用する板材である。この中間板３０は、四角形の外枠部３１と中間で仕切る仕切部３２とからなり、２ヵ所の空間３３，３３があいている。この中間板３０を矢印ａｄ方向に下降させて型枠２０の上面に設置する。
【００１５】
図６は、中間板３０を型枠２０の開口面に設置した状態を示している。先に挿入した形状保持具１０はこの中間板３０に固定される。固定方法は中間板３０の裏面に形成された篏合部（図示していない）と形状保持具１０とを嵌合させたり、押えるなど、任意の手段をとることができる。
【００１６】
（給材工程）
図７は給材工程を示している。
中間板３０の２ヵ所の空間を通してコンクリート材料ｍを給材する。給材されたコンクリート材料ｍは金型の成形用凹所１ｈ，２ｈ（図４参照）に充満する。なお、給材されるコンクリート材料ｍは水分を含んだ生コンクリートと称されるものである。
【００１７】
（加圧工程）
図８において、符号４０は型板を示している。２枚の型板４０は中間板３０の２ヵ所の空間に対応した大きさを有し、対応する位置に配置される。そして下向き矢印ａｄで示すように下降する。
図９は加圧状態を示している。２枚の型板４０，４０は振動を加えながらコンクリート材料ｍを加圧する。
【００１８】
加圧を終えると、脱型板工程が実行される。すなわち、図１０に示すように型板４０を矢印ａｕで示すように上方に持ち上げ退避させる。この段階で、型枠２０内のコンクリート材料ｍの表面には、型枠４０の裏面の凹凸模様が転写されている。この段階のコンクリート材料ｍは未硬化である。
【００１９】
ついで、脱中間板工程が実行される。すなわち、図１１に示すように中間板３０を矢印ａｕで示すように上方に持ち上げ退避させる。この状態では、最初に挿入した形状保持具１０はそのまま残されている。したがって、給材からここまでの工程中に流動性のあるコンクリート材料であっても、形状保持具１０を通過することはなく、空洞内にコンクリート材料が進入することはない。
【００２０】
（保護板固定工程）
図１１に示す状態の型枠２０の開口面上に、図１２に示すように保護板５０をのせる。
（型枠反転工程）
ついで、型枠反転工程を実行する。すなわち、図１３に示すように、型枠２０と保護板５０を上下反転させる。この状態から直ちに後工程の脱型工程に移る。なお、この反転状態で必要な時間養生してもよく、後述する脱型工程の後で養生を行ってもよい。
【００２１】
（脱型工程）
図１４に示すように、型枠２０を矢印ａｕで示すように上方に引き抜く。これにより、未硬化のコンクリートブロックＣは保護板５０上に残され静置された状態となる。
（養生工程）
未硬化のコンクリートブロックＣは保護板５０上に静置された状態で、充分に硬化するまで養生される。
この養生の間、２個のコンクリート製品Ｃ，Ｃの突出部２，２の間は空洞となっているが、形状保持具１０，１０が存在することによって、コンクリート材料ｍが崩れ落ちることはない。このため、所望どおりの形状を保ったコンクリート製品が得られる。
【００２２】
図１５は、コンクリート材料ｍが硬化した後のコンクリート製品Ｃを示している。本体部１の表面には、所望の凹凸模様が形成されている。その本体部１の後方には突出部２が突出した形となっている。硬化が完了すると、形状保持具１０を取り外してよい。コンクリート材料ｍが未硬化の間は形状保持具１０は空洞の形状が崩れないように保持しているので、硬化完了後のコンクリートブロックＣは所望の形状を正確に保持したブロックとなっている。このようにして製造完了すると、コンクリートブロック製品Ｃとして利用できる。
【００２３】
((他の実施形態))
上記実施形態は、１個の型枠２０で２個のコンクリートブロックＣを製造するものであったが、１個の型枠で１個のコンクリートブロックを製造する場合にも適用できる。すなわち、給材工程やその後の養生工程に至る間に、コンクリート材料が進入すれば型崩れが生ずる空洞のあるものであれば、とくに例外なく本発明を適用できる。
また、形状保持具１０は空洞の形状に合わせて、その形状と大きさが選択されるべきものであり、図２に示す形状に限られないことももちろんである。
【符号の説明】
【００２４】
１    本体部
２    突出部
１０  形状保持具
２０  型枠
３０  中間板
４０  型板
５０  保護板
Ｃ    コンクリート製品
【図１】
0006336357.tif 000002
【図２】
0006336357.tif 000003
【図３】
0006336357.tif 000004
【図４】
0006336357.tif 000005
【図５】
0006336357.tif 000006
【図６】
0006336357.tif 000007
【図７】
0006336357.tif 000008
【図８】
0006336357.tif 000009
【図９】
0006336357.tif 000010
【図１０】
0006336357.tif 000011
【図１１】
0006336357.tif 000012
【図１２】
0006336357.tif 000013
【図１３】
0006336357.tif 000014
【図１４】
0006336357.tif 000015
【図１５】
0006336357.tif 000016